(57)【要約】【課題】組立が簡単、構造が堅固で確実、使用上安全な繰出し梯子を提供する。【解決手段】管径の異なる中空管体が嵌合されてなる、伸縮自在の複数の主柱素子と、連結子、締付け機構、バッファー、及び横足場板から構成され、繰出しや収縮時に締付け機構がゆるんだり、脱落したりすることがない。連結子と主柱素子を結合した後、両者間を粘着剤で固定し、さらに締付け機構を横方向の足場板で覆って蓋をし、さびで寿命の縮む心配のない、繰出し梯子を提供した。【選択図】図３Ａ
0003123697.tif 000002
【実用新案登録請求の範囲】
【請求項１】
伸縮自在の多数の主柱素子を連結してなる繰出し梯子であって、
管径の異なる中空の管体が互いに嵌合されてなる、伸縮自在の複数の主柱素子と、
前記主柱素子の上端に水平に取り付けられ、内部には締付け機構を含み、外部は横方向の足場板に覆蓋された連結子と、を有し、
前記締付け機構は、前記中空の管体に横に刺し込まれることが可能な、棒体上に間隔を置いて第１凹部および第２凹部が形成された鎖棒を有し、
前記鎖棒の第１凹部には、発動鍵のクロスアームが嵌め込まれ、前記鎖棒の第２凹部には、従動鍵の脚部が嵌め込まれており、
前記発動鍵および従動鍵の一端部には、各々、両側に突出したピンが形成されており、前記鎖棒が前後に動く場合、前記発動鍵および従動鍵が前記ピンを軸として回動し、
前記従動鍵の一端部には更に発動板が設けられており、前記鎖棒が前記中空の管体から引出されるとき、前記発動板は上に向って起き上がり、上層の前記連結子の内部に取付けられた発動鍵を触動して、締付け機構を開放することを特徴とする繰出し梯子。
【請求項２】
第１層の連結子内部に取付けられた締付け機構の鎖棒の一端は、横方向に移動する手動制御ボタンと連結棒で結合されていること特徴とする、請求項１に記載の繰出し梯子。
【請求項３】
前記手動制御ボタンの上端部には、下端に水平の凹溝を設けたガイド板が取付けられていて、前記凹溝を前記足場板に形成されたガイド穴の縁部に沿って差し入れ、前記手動制御ボタンを前記足場板の下端にて水平に移動させ得ることを特徴とする、請求項２に記載の繰出し梯子。
【請求項４】
前記締付け機構の鎖棒と前記連結棒との接続部付近に形成された溝には、Ｃ型のクリツプが差し込まれ、ばねがＣ型のクリツプの端面に当接されて設置され、前記ばねの他端は、前記連結子の内部に設置された起立した固定板に接触しており、前記鎖棒は、移動させられて開放された後、前記ばねの弾力にて元来の閉鎖位置に復帰する方向に付勢されることを特徴とする、請求項２に記載の繰出し梯子。
【請求項５】
第１層よりも上の層に設置された連結子の内部に取付けてある締付け機構は、鎖棒の一端側に、前記連結子内に挿し込まれた状態で取付けられる止金を有し、
前記止金は、起立した固定板を含み、前記固定板の中央部には１本の有底のスリーブが水平に貫設され、スリーブの開口部にばねと鎖棒が挿入されることを特徴とする、請求項１に記載の繰出し梯子。
【請求項６】
前記主柱素子と前記連結子は、主柱素子のピンを連結子のピン穴に挿し込んで位置を決め、更に前記連結子内部に形成された粘液流道に粘着材ないし接着剤を注入して、固定されることを特徴とする、請求項１に記載の繰出し梯子。
【請求項７】
隣接する主柱素子に設けられた各穴を前記連結子の貫通孔と相通させた位置で、前記連結子内部に設けた前記締付け機構の鎖棒が前後に移動し得ることを特徴とする、請求項１に記載の繰出し梯子。
【請求項８】
前記連結子は、前記主柱素子に接続される締付けリングと、前記締付け機構が内部に設置される軸接部とを有することを特徴とする、請求項１に記載の繰出し梯子。
【請求項９】
前記連結子の軸接部は、前記締付けリングと一体成形され、互いに平行な２つの側板を含むことを特徴とする、請求項８に記載の繰出し梯子。
【請求項１０】
前記連結子の軸接部の２つの側板は、その内壁面の相対した位置にそれぞれ、１つの垂直溝と２つの凹部が形成され、前記垂直溝は前記側板の末端に隣接した位置に形成され、前記垂直溝には止め板または止金が挿設され、前記２つの凹部には、それぞれ前記従動鍵および発動鍵のピンが嵌め込まれていることを特徴とする、請求項９に記載の繰出し梯子。
【請求項１１】
前記主柱素子の下端部にはさらに、スリーブ形状のバッファーが設けられ、バッファーの下端部の外周は弾性に富むカラーで取巻かれており、これにより隣の主柱素子の中空の管体内部との接触摩擦力を増強するとともに、梯子の伸縮操作時における騒音を減少する緩衝効果を有することを特徴とする、請求項１に記載の繰出し梯子。
【請求項１２】
前記バッファーの内部には気孔を有する膠膜が形成され、バッファーの上下移動に伴い、空気を気孔から前記膠膜内の腔室に導入して緩衝作用をなすことを特徴とする、請求項１１に記載の繰出し梯子。
【請求項１３】
前記主柱素子の下段部には外に向って突出した外凸制止リングを備え、上段部には前記主柱素子の内方に突出した内凸環状溝が形成されていて、上下の主柱素子が互いに引き離されるとき、内層にある主柱素子の前記外凸制止リングと外層にある主柱素子の前記内凸環状溝を互いに抵触させて、上下の両主柱素子を定着させることを特徴とする、請求項１に記載の繰出し梯子。
【考案の詳細な説明】
【技術分野】
【０００１】
本考案は、繰出し梯子に関し、特に、組立が簡単、かつ構造が堅固で確実、使用上安全な繰出し梯子に関するものである。
【背景技術】
【０００２】
梯子は、日常生活に不可欠の、高所作業や品物の揚げ卸しに使用される工具である。
【０００３】
図１に示すように、通常の梯子８００は、両側に起立した２本の主柱の間に、横木を一定の間隔に取付けてなる２面の梯子をＡ字状に組合せてなり、４本の主柱の足部には滑り止めの靴をはかせ、最上端に１つの平板を乗せて踏台とした構造となっている。
【０００４】
このような構造では全体としてサイズが大きくなり、携帯に不便で、収納にもかなりのスペース占め、厄介である。
【０００５】
以上の事情に鑑み、本願の考案者は多年の経験に基づき、本願の繰出し梯子を案出した次第である。
【考案の開示】
【考案が解決しようとする課題】
【０００６】
本考案の目的の１つは、複数の主柱素子、連結子、締付け機構、及び横足場板から構成された、伸縮可能で、携帯、使用や収納が便利な繰出し梯子を提供することにある。
【０００７】
本考案のもう１つの目的は、締付け機構を一層改良した、繰出しや収縮時に締付け機構がゆるんだり、脱落したりすることがなく、確実安全に使用できる繰出し梯子を提供することにある。
【０００８】
本考案のまた１つの目的は、連結子と主柱素子が結合した後、両者間を粘着剤で固定し、脱落の虞がない繰出し梯子を提供することにある。
【０００９】
本考案のもう１つの目的は、連結子内に設けられた締付け機構を横足場板で覆って蓋をして、さびで破損する心配のない繰出し梯子を提供することにある。
【課題を解決するための手段】
【００１０】
上記の目的を達成するため、本考案は、伸縮自在の多数の主柱素子を連結してなる繰出し梯子であって、管径の異なる中空の管体が互いに嵌合されてなる、伸縮自在の複数の主柱素子と、前記主柱素子の上端に水平に取り付けられ、内部には締付け機構を含み、外部は横方向の足場板に覆蓋された連結子と、を有し、前記締付け機構は、前記中空の管体に横に刺し込まれることが可能な、棒体上に間隔を置いて第１凹部および第２凹部が形成された鎖棒を有し、前記鎖棒の第１凹部には、発動鍵のクロスアームが嵌め込まれ、前記鎖棒の第２凹部には、従動鍵の脚部が嵌め込まれており、前記発動鍵および従動鍵の一端部には、各々、両側に突出したピンが形成されており、前記鎖棒が前後に動く場合、前記発動鍵および従動鍵が前記ピンを軸として回動し、前記従動鍵の一端部には更に発動板が設けられており、前記鎖棒が前記中空の管体から引出されるとき、前記発動板は上に向って起き上がり、上層の前記連結子の内部に取付けられた発動鍵を触動して、締付け機構を開放することを特徴とする繰出し梯子を堤供した。
【００１１】
本考案に係る繰出し梯子のその他の特徴、有利点や応用に関しては、明細書に添付した図面を参考にして、以下詳述する実施形態の内容によって明らかになるであろう。
【考案の効果】
【００１２】
本考案によれば、複数の主柱素子、連結子、締付け機構、及び横足場板から構成された、伸縮可能で、携帯、使用や収納が便利な繰出し梯子を提供することができる。
【００１３】
本考案に係る繰出し梯子は、連結子と、主柱素子の間に設けられた、ピン穴、固定用ピン、及び制止リングなどで、組立や繰出しが効率よくでき、粘液流道に粘着剤を注入することにより、機構全体が強化され、軽量で持ち運びが簡單であり、使用が安全であり、使用年限も延長できるものである。
【考案を実施するための最良の形態】
【００１４】
図２に、本考案に係る繰出し梯子を示す。繰出し梯子１は伸縮可能であり、図３Ａは、その繰出された状態を示している。この梯子１は、複数の主柱素子２と、連結子３と、横方向の足場板５とを有しており、上に向って一節一節と（一層ずつ）主柱素子を繰出して使用に供するものである。収納に当たり、上から下に管径の異なる主柱素子を挿入してサイズを小さくするのである。
【００１５】
図４、５、および６を参照する。主柱素子２は互いに嵌合する。即ち、下の主柱素子２は、その上に隣接する管径の小さい小主柱素子２ａを収容するのである。この中空管状の主柱素子２は、上端にピン穴２１と位置決め穴２２とがあり、下段には刺し通し穴２３があり、その上端の適当な高さの位置に１つの外に向って突出した制止リング２５が設けられ、さらに主柱素子２表面には、制止リング２５と対応する適当な高さの位置に、管内に向って出張った内環状溝２６が形成されてぃる（図３Ｂ参照）。
【００１６】
連結子３は、締付けリング３１と軸接部３２とからなり、締付けリング３１は、主柱素子２の上端に、水平に、主柱素子２の径方向にねじ３３によりねじ締められて設けられている。その内部に形成された数個のピン３４は、主柱素子２のピン穴に嵌め込んで固定するものである。その内壁には粘液流道３５が凹設され、流道３５の一端には、注入孔３６が開孔されており、粘着剤ないし接着剤を注入して、主柱素子２と密着させる。また、貫通孔３０が開設されており、軸接部３２の内部に位置される通路３７と相通ずる。
【００１７】
軸接部３２と締付けリング３１は、一体成形され、２片の互いに平行な起立側板３２１、３２２を含む。両側板３２１、３２２は、適当な間隔を置いて通路３７を形成しており、締付け機構４を収容する。また、両起立側板３２１、３２２の内壁面には、相対した位置に各々、１つの垂直溝３８と２つの凹部３９１、３９２が掘り込まれている。そのうち、垂直溝３８は側板末端に隣接した位置に形成され、第一凹部３９１は側板の上端面の縁部に形成され、第二凹部３９２は側板の下端面の縁部に形成されている。
【００１８】
締付け機構４は、第１層締付け機構４ａと、その上層の締付け機構４ｂ（第２層以上の締付け機構は、全て上層締付け機構４ｂと呼称）とを含む。例えば図５に示したものは、上層締付け機構４ｂに属しており、１つの止金４１、１本の鎖棒４２、１つのばね４３、１つの発動鍵４４、及び１つの従動鍵４５を含んでいる。止金４１には１つの起立した固定板４１０が設けられ、これを軸接部３２の起立側板３２１、３２２の垂直溝３８内に挿し込む。固定板４１０の中央部には１本の水平な有底のスリーブ４１３が貫設してあり、その開口部は貫通孔３０に向っている。
【００１９】
鎖棒４２は１本の水平に配置された円柱状の棒体であり、その一端は貫通孔３０と主柱素子２の位置決め穴２２を貫通し、他端は水平なスリーブ４１３内に挿入される。なお、スリーブ４１３との間にはばね４３があって、水平に移動する際、ばね４３の弾力を借りて元来の位置に復帰できるのである。なお、鎖棒４２の棒体上には間隔を置いて凹部（ここでは円周溝）４２１、４２２が形成されている。
【００２０】
発動鍵４４は、ほぼＶ形に連結された第一面板４４１と第二面板４４２とを含み、第一面板４４１の上端には、ここでは間隔を置いた２つの突部から構成されるクロスアーム（ｃｒｏｓｓ  ａｒｍ）４４３が設けられ、クロスアーム４４３は鎖棒４２の凹部４２２に嵌め込まれている。第一および第二面板４４１、４４２の連結部には、両側に突き出したピン４４４が形成されており、締付リング３１の起立側板３２１、３２２の凹部３９２に挿入している。これにより、発動鍵４４の第二面板４４２が下から上に押し上げられるとき、ピン４４４を軸心として、鎖棒４２を前後に水平移動させるのである。
【００２１】
従動鍵４５には１つの発動板４５１が設けられてあり、その下端には両側に突出したピン４５２が形成され、締付けリング３１の起立側板３２１、３２２の凹部３９１に挿し込まれる。発動板４５１の下端には、発動板４５１と９０度の角度をなした、脚部４５３があり、鎖棒４２の凹部４２１に嵌入する。これにより鎖棒４２が前後に水平移動する場合、従動鍵４５は９０度の回動をなし、発動板４５１を起き上がった（直立した）状態にする。
【００２２】
上層の締付け機構４ｂを軸接部３２内に組入れ、横方向の足場板５を軸接部３２の外部に取り付ける。足場板５下端の面部に対応した発動鍵４４の第２面板４４２の位置には通孔５１が開設され、また上端の面部に対応した従動鍵４５の位置には第２通孔が開設されていて、従動鍵４５の発動板４５１が先端を上にして起き上がる（直立する）ことができるようになっている。
【００２３】
図４に、第１層の締付け機構４ａの詳細な構造を示す。第１層締付け機構４ａにも、上層の締付け機構４ｂと同様なばね４３が取付けてある。発動鍵４４と従動鍵４５の構造は再び説明することを省く。以下にその配置の相異点に付き説明する。
【００２４】
図４に示すように、第１層の締付け機構４ａの鎖棒４２には凹部４２１、４２２がある外、そのばね４３の取付けられた一端にはさらに１つの狭い溝４２３が形成されて、Ｃ形をなしたクリツプ（ｃｌｉｐ）が嵌め込めるようになっており、他端には挟持部４２５が形成されている。上層の締付け機構４ｂの止金４１の位置には、これに代って中央に通孔４６１が開設された固定板４６が設置されている。固定板４６は、軸接部３２の起立側板３２１、３２２の垂直溝３８内に嵌め込まれて固定するものである。
【００２５】
また、１つの手動制御ボタン４７と１本の連結棒４８がある。手動制御ボタン４７の上端には１つのガイド板４７１があって、ガイド板４７１の下端には水平凹溝４７２が形成され、ガイド板４７１を横方向の足場板５のガイド孔５３内に押し込み、手動制御ボタン４７が水平凹溝４７２を経由してガイド孔５３の側縁に沿って自在に前後摺動することができるようになっている。
【００２６】
また、手動制御ボタン４７の中央には１つの凹部（槽道）４７３が形成されていて、連結棒４８の一端とピンで結合されてぃる。連結棒４８は横向きに配置され、その前端は固定板４６の通孔４６１を貫通し、そしてピンで鎖棒４２の挟持部４２５と結合し、連結棒４８の他端は、横向きの足場板５のガイド穴５３と、手動制御ボタン４７の凹部４７３とに刺し込めるよう、傾斜状をなし、手動制御ボタン４７と一体に組立てられている。
【００２７】
さらに、中空の主柱素子２下端には、バッファー（ｂｕｆｆｅｒ）６が取付けられており、このやや錐形（円錐台）に近いスリーブ状のバッファー６は、その上端部を外側にあるフック６１で主柱素子の鈎穴２４と結合し、その下端部の外周は弾性に富むカラー（ｃｏｌｌａｒ）６２で取卷かれている。主柱素子２が上に引出される場合、カラー６２は抵抗せず、主柱素子２は、たやすく引出せるが、下降する場合、錐形状のカラー６２の傾斜に伴い、外に向かう径方向の圧迫力を受けるので、緩やかに下降する。バッファー６の表面には気孔のある膠膜が形成されていて、バッファー６の上下移動に伴い、空気を気孔から膠膜の腔室に導入し、緩衝作用をなすのである。
【００２８】
図示のように組立てに当たり、主柱素子２の底部に取付けられたバッファー６と弾性に富むカラー６２の作用により、上下両層の主柱素子２間の摩擦力で、その上下動作が緩和される。また、梯子の伸縮操作時における騒音を減少する。連結子３には粘液流道３５が形成され、粘着剤を注入して凝固を待ち、主柱素子２の上端と連結子３とが堅固に結合される。故に組立が完成した梯子の構造は、全体的に安全かつ堅固である。そして締付け機構４は、連結子３と横方向の足場板５とに完全に覆われて蓋がされるので、さびや外物の侵入による損害の可能性は低い。
【００２９】
内層の主柱素子２ａと外層の主柱素子２が互いに引離される場合、前者の外凸制止リング２５と後者の内凸環状溝２６は互いに接触して、上下両主柱素子２ａ、２は移動が規制されて所定位置に定着する（図３Ｂ参照）。また、内層の主柱素子２ａ下端部にある刺し通し穴２３と、外層の主柱素子２の位置決め穴２２と、連結子の貫通孔３０は、ちょうど、鎖棒４２の通路上に合致するので、鎖棒４２が前進して挿入し、固定される。
【００３０】
図７と図８に、本考案に係る繰出し梯子１の操作状況を示す。第１層の締付機構４の手動制御ボタン４７を足場板５の中央に移動し、連結棒４８で鎖棒４２を主柱素子２の位置決め穴２２から離せば、鎖棒４２の移動に伴い、発動鍵４４は時計方向に回動し、従動鍵４５は逆時計方向に回動し、従動鍵４５の発動板４５１は、足場板５の第２通孔５２から上に起き上がる。
【００３１】
この発動板４５１が上に起き上がった後、第２層の足場板５ａの通孔５１ａを貫通して、第２層の足場板５ａ内にある発動鍵４４ａの第２面板４４２ａを押し、発動鍵４４ａを時計方向に回動させる。これにより、第２層の足場板５ａ内にある鎖棒４２ａは第２層の主柱素子２ａにある位置決め穴２２ａから離脱して、開鎖（開放）状態となり、第２層の主柱素子２ａは上に引き上げられ、その刺し通し穴２３ａと第１層の主柱素子２の貫通孔３０が合致して、鎖棒４２ａはばね４３ａの弾力を借りて、第２層の主柱素子２ａの刺し通し穴２３ａを貫通し、第２層の主柱素子２ａは固定される。
【００３２】
なお、鎖棒４２ａが第２層の主柱素子２ａにある位置決め穴２２ａから離脱するとき、第２層の足場板５ａにある従動鍵４５ａもこの動きに伴い、逆時計方向に回動し、その発動板４５１ａを上に起き上がらせる。このような手順を繰返して第３層から上にある締付機構を操作して、繰出し梯子１を開鎖（開放）するのである。
【００３３】
鎖棒４２がその元来の位置に閉鎖状態にあり、従動鍵４５の発動板４５１がまだ完全に水平にならない以前は、発動板４５１はまだ固定状態になってはいないが、たとえ誤って踏んだり、外力を加えたりしても締付け機構４が開放することはなく、却って鎖棒４２をもっと主柱素子２に押し入れて、締付状態はさらに強化される。これは本考案の発揮する極上の安全機能である。
【００３４】
本考案に係る繰出し梯子は、連結子３と、主柱素子２の間に設けられた、ピン穴２１、固定用ピン３４、及び制止リング２５などで、組立や繰出しが効率よくでき、粘液流道３５に粘着剤ないし接着剤を注入することにより、機構全体が強化され、軽量で持ち運びが簡単であり、使用が安全であり、使用年限も延長できるものである。
【００３５】
本考案は、その形態において確かに創意性に富むのみならず、従来の梯子に比べて、上述の幾多の機能を追加でき、新規性及び進歩性の法定実用新案登録要件に十分符合するものである。
【００３６】
以上詳細な説明は、本考案の実施可能な実施形態についての具体的説明である。但し、この実施形態は本考案の実用新案登録請求の範囲を制限するものではなく、およそ本考案の技術精神を逸脱せずになされた同等効果の実施、または変更は、全て本考案の実用新案登録請求の範囲内に含まれるものとする。
【図面の簡単な説明】
【００３７】
【図１】従来の梯子の立体図である。
【図２】本考案に係る繰出し梯子の収縮した状態を示した平面図である。
【図３Ａ】本考案に係る繰出し梯子の展開した状態を示した平面図である。
【図３Ｂ】図３ＡのＡ部分の拡大図である。
【図４】本考案に係る繰出し梯子の第１層の主柱素子と、横方向の足場板の分解斜視図である。
【図５】本考案に係る繰出し梯子の第２層以上の主柱素子と、横方向の足場板の分解斜視図である。
【図６】本考案に係る繰出し梯子の主柱素子と、横方向の足場板の組立の斜視図である。
【図７】本考案に係る繰出し梯子の主柱素子と、横方向の足場板の組立の断面図である。
【図８】本考案の実施形態の断面図である。
【符号の説明】
【００３８】
１    繰出し梯子、
２    主柱素子、
３    連結子、
４    締付け機構、
５    横方向の足場板、
２ａ    内層の主柱素子、
２１    ピン穴、
２２    位置決め穴、
２２ａ    位置決め孔、
２３    刺し通し穴、
２３ａ    刺し通し穴、
２４    鈎穴、
２５    制止リング、
２６    内凸環状溝、
３０    貫通孔、
３１    締付けリング、
３２    軸接部、
３３    ねじ、
３４    固定用ピン、
３５    粘液流道、
３６    注入孔、
３７    通路、
３８    垂直溝、
３２１、３２２    起立側板、
３９１、３９２    凹部、
４ａ    第１層の締付け機構、
４ｂ    上層の締付け機構、
４１    止金、
４２    鎖棒、
４３    ばね、
４４    発動鍵、
４５、４５ａ    従動鍵、
４５１    発動板、
４６    固定板、
４７    手動制御ボタン、
４８    連結棒、
４１０    固定板、
４１３    水平なスリーブ、
４２１、４２２    凹部、
４２３    狭い溝、
４２４    Ｃ形クリツプ、
４２５    挟持部、
４４１    第１面板、
４４２    第２面板、
４４３    クロスアーム、
４４４    ピン、
４４ａ、４４ｂ    発動鍵、
４４２ａ    第二面板、
４５１    発動板、
４５２    ピン、
４５３    脚部、
４６１    通孔、
４７１    ガイド板、
４７２    水平の凹溝、
４７３    凹部、
５１    通孔、
５２    第２通孔、
５３    ガイド孔、
５ａ    第２層横方向足場板、
５１ａ    通孔、
５ｂ    第３層横方向足場板、
６    バッファー、
６１    フック、
６２    弾性カラー。
【図１】
0003123697.tif 000003
【図２】
0003123697.tif 000004
【図３Ａ】
0003123697.tif 000005
【図３Ｂ】
0003123697.tif 000006
【図４】
0003123697.tif 000007
【図５】
0003123697.tif 000008
【図６】
0003123697.tif 000009
【図７】
0003123697.tif 000010
【図８】
0003123697.tif 000011